(57)【特許請求の範囲】
【請求項１】
超伝導高周波（ＳＣＲＦ）空洞用の調整装置であって、
少なくとも２つの角型フランジと、
少なくとも２組のＸリンクレバーと、
上部用の少なくとも４つの薄く平らなフレクシャプレートおよび下部用の少なくとも４つの前記フレクシャプレートと、
１つ以上のピエゾアクチュエータと、
少なくとも１つのモータアセンブリと、
少なくとも１つのパワースクリューアセンブリと、
を備え、
前記少なくとも２組のＸリンクレバーは、実質的に中央部において枢動し、前記モータアセンブリ、ピエゾアクチュエータおよびパワースクリューアセンブリは、前記角型フランジの上端部および下端部の運動を等しくし、
前記角型フランジは、前記少なくとも２組のＸリンクレバーを介して互いに連結され、前記薄く平らなフレクシャプレートの複数は、少なくとも１つの角型フランジと共に前記Ｘリンクレバーの上端部を、他方の角型フランジの下端部に連結し、またその逆の連結も行うことにより、前記調整装置の上部からの直線運動を下部に伝達させて上部から下部への負荷伝達を生じさせ、これにより、ＳＣＲＦ空洞の周波数の微細かつ高速の制御に必要な力を伝達するための、低速および／または高速調整機構を提供する調整装置。
【請求項２】
前記フレクシャプレートが、前記Ｘリンクレバーおよび前記角型フランジに、適切な固定具と連携してドエルピンにより接合される請求項１に記載の調整装置。
【請求項３】
前記少なくとも２組のＸリンクレバーは、実質的に互いに平行である請求項１に記載の調整装置。
【請求項４】
前記ピエゾアクチュエータまたは高速調整素子は、
・少なくとも１つの把持プレートと、
・少なくとも２つの支持フランジと、
・少なくとも２つの支持ガイドと、
・少なくとも１つのピエゾスタックまたは高速調整素子と、
を備え、
前記アクチュエータが、前記パワースクリューアセンブリおよび把持プレートに力を加えることにより、前記パワースクリューアセンブリを介した直線駆動運動を生じさせる請求項１に記載の調整装置。
【請求項５】
前記パワースクリューアセンブリは、
・ボールスクリューメカニズムと、
・ウォームホイールと、
・ウォームギヤと、
を備え、
前記ウォームホイールは、ウォームシャフトにより駆動され、前記ウォームホイールは、前記ボールスクリューメカニズムに連結され、
前記ボールスクリューメカニズムは、複数のステンレス鋼球と、ナットと、前記パワースクリューアセンブリと、によって構成される請求項１に記載の調整装置。
【請求項６】
前記パワースクリューアセンブリが、調整要求に応じた部分的な回転または４分の１未満の回転のために、４ｍｍ以上のピッチを有する請求項５に記載の調整装置。
【請求項７】
前記少なくとも２つの角型フランジが、運動を伝達するプラットフォームを上部に備え、前記パワースクリューアセンブリを介して連結されている請求項５に記載の調整装置。
【請求項８】
前記ウォームホイールを回転させるために前記ウォームホイールに連結されるウォームを更に備える請求項５に記載の調整装置。
【請求項９】
前記パワースクリューアセンブリが、直線運動のために前記ウォームに対して１：３０の減速比または適切なギア比を有する前記ウォームホイールを用いて回転させられる請求項８に記載の調整装置。
【請求項１０】
低温対応小型ギアユニットを更に備え、
前記ウォームの一端が、軸継手を介して前記低温対応小型ギアユニットに連結されている請求項８に記載の調整装置。
【請求項１１】
前記小型ギアユニットが、モータの各回転において１００から１０００ステップの範囲の微小分解能で、前記モータアセンブリにより駆動される請求項１０に記載の調整装置。
【請求項１２】
前記モータアセンブリが、前記小型ギアユニットを時計回りおよび反時計回りの両方に回転させるように構成される請求項１０に記載の調整装置。
【請求項１３】
前記モータアセンブリが、モータ故障の際の修理を容易にするために、外部連結用の延出するシャフトを有するステッパモータまたはＤＣモータを備える請求項１に記載の調整装置。
【請求項１４】
前記フレクシャプレート、角型フランジ、およびＸリンクレバーの接合が、ドエルピンにより行われ、固定具により固定されている請求項１に記載の調整装置。
【請求項１５】
前記調整装置が、非磁性のスチール（例えばＳＳ３１６ＬＮ）により製造されている請求項１に記載の調整装置。
【請求項１６】
前記調整装置が、高周波空洞調整の要件に応じて、調整のために圧縮伸長サイクルまたは伸長圧縮サイクルで動作可能である請求項１に記載の調整装置。
【請求項１７】
前記調整装置が取外し可能である請求項１に記載の調整装置。
【請求項１８】
前記Ｘリンクレバーの枢動位置が任意に変更可能であり、高周波空洞の形状変化に対する前記調整装置の適応を可能にする請求項１に記載の調整装置。
【請求項１９】
前記調整装置の駆動部は、空洞軸に平行または前記空洞軸に垂直になるように、任意に変更可能である請求項１に記載の調整装置。
【発明の詳細な説明】
【発明の詳細な説明】
【０００１】
［発明の技術分野］
本発明は、加速器の超伝導ＲＦ（ＳＣＲＦ）空洞のための調整システムに関する。より具体的には、本発明は、低ヒステリシスで正確な低速および高速調整のための、シングルセルまたはマルチセルの超伝導高周波（ＳＣＲＦ）空洞用のＸリンク調整装置に関する。
【０００２】
［発明の背景］
線形加速器（ＬＩＮＡＣ）を用いる粒子加速器は、粒子を加速させるために超伝導ニオブ空洞を利用する。ニオブ空洞は、過渡温度（９．２Ｋ）未満に冷却されると超伝導状態になり、空洞は、液体ヘリウム（４．２Ｋ）または超流動ヘリウム（２Ｋ）を用いて極低温で動作する。高周波ＲＦ（無線周波数）電力は、適切な電源を用いて空洞に接続され、荷電粒子は、この電磁場を利用して加速される。空洞は、空洞のＲＦ共振周波数が、ＲＦ電力を荷電粒子に伝達するための搬送波ＲＦ供給周波数と一致するようなＲＦ周波数に調整される。空洞がＲＦ電源と共振状態にない場合は、電磁力を電源に反映させることになるであろう。空洞のＲＦ共振周波数は、空洞の物理的寸法に左右され、それゆえ、空洞は、弾性限界の範囲内で最適な調整をするため、軸に沿って伸長または圧縮する必要がある。したがって、このシステムの効率性を維持するため、調整メカニズムが必要である。共振周波数からの僅かなずれが、粒子加速のために最終的に有効利用できるエネルギーの重大な損失を招き得る。
【０００３】
チューナは、加速器ＲＦ空洞の電磁周波数を静的制御および動的制御するための、どの加速器ＲＦ空洞にも重要な部品である。超伝導ＲＦ空洞の場合、チューナの機能は精密であり、空洞は、そのＲＦ共振周波数を変化させるために軸方向に圧縮または伸長される。ＳＣＲＦ空洞の場合、品質係数が非常に高い（Ｑ０＞１０９）ので、調整のために、数ヘルツオーダーの狭い共振帯域に一致させるよう、空洞周波数を正確に制御することが求められる。チューナの主な役割は、空洞を指定された空洞周波数に調整して、ローレンツ離調（ＬＦＤ）、マイクロフォン効果のような高速不安定性を補償する手段を提供することである。静的負荷および動的負荷のそれぞれについてＳＣＲＦ空洞周波数を正確に制御するためには、低速調整および高速調整の両方の選択肢が必要である。現在、ＩＮＦＮブレードチューナ、ＫＥＫ同軸チューナ、サックレー型エンドレバーチューナ等が、世界各国の多くの加速器研究所において、調整システムとして広く用いられている。
【０００４】
従来のシステムには、以下で簡単に説明する重大な欠点がある。ヒステリシスは、チューナの従来設計における主な問題点であり、この分野においては、最小限のヒステリシスを有する適切な調整メカニズムを開発することが、常に求められている。現在の最新技術においては、エンドチューナとしても同軸チューナとしても動作し得るようなチューナ構成が存在しない。既存のチューナ構成要素は、形状が複雑で、その製造には特殊な機械加工と特殊な訓練をされた人材が必要である。チューナ構成要素は多数の溶接接合を要し、例えばブレードチューナは約２００箇所の接合を有する。溶接接合の数が増えるにつれて、方法はより複雑になり、コストが高くなることは分かるであろう。更に、軸方向および直径方向の空間要件が高くなる。これにより、クライオモジュール内のコールドマスの寸法が増大するため、小型の装置への需要が常にある。最後に、現在の調整装置は、高価である。したがって、現在の調整装置に存在する欠点から、構造および機能が単純で、かつ費用効率のよいＳＣＲＦ調整装置を当業界が求めていることは理解されていた。
【０００５】
米国特許第６６５７５１５号において、超伝導高周波粒子加速器空洞のための調整メカニズムが開示されており、空洞は、空洞の共振周波数を調整するための、少なくとも１つの軸方向に伸長可能なアクティブセルを有する、フレームにより支持された多数の軸方向に整列したセルを備える。調整メカニズムは、回転中心を有するレバーアームと、レバーアームをアクティブセルに連結する１つ以上の機械的部材と、レバーアームを動かすように構成されたモータとを備え、それにより機械的部材を介してアクティブセルを移動させる。
【０００６】
ボソッティ他による論文「同軸ブレードチューナ‐動作の最終報告および評価」は、静止位置（中心軸に対して１５°斜め）から異なった形状に変形して、チューナ自体の伸長（または縮小）を生じるブレードの屈曲に基づく、同軸ブレードチューナについて開示している。この変形は、側方のリングに対する中央のリングの回転により生じる。側方のリングの相対的回転をほぼゼロまで低減するために、および、ねじりモーメントを相殺するために、中央リングは反対方向に回転し、ブレードは水平面に対して対称的に組み立てられる。中央リングの回転は、ステッピングモータにより直接動かされ、連結プレートを介して中央リングの縁部の反対方向への移動を生じさせる外部てこ装置を介して、得られる。
【０００７】
肥後他による「７７Ｋにおける、低損失の高勾配超伝導空洞用のボールスクリュー型チューナの試運転」においては、雄ネジに取り付けられた大型のウォームホイール上での周方向への移動により、空洞の長手方向の移動が実現される。パルスモータにより駆動されるウォームギヤによって、低速調整が行われる。この低速調整部は、ヘリウム容器に取り付けられたピエゾアクチュエータにより低速チューナ全体が速く押され得るように、１２個の薄いブレードを介してヘリウム容器に疎結合されたリングに取り付けられる。
【０００８】
調整システムの従来技術の設計は、エンドチューナと同軸チューナのどちらとしても機能し得る構成が存在せず、チューナ構成要素は形状が複雑で製造に特殊な機械加工を必要とし、チューナ構成要素は多数の溶接接合（例えば、ブレードチューナが最大１８４箇所の接合を有し、改良されたブレードチューナが、そのほぼ半数の接合を有する）を必要とする、という欠点を有する。さらに、従来のチューナ装置における軸方向および直径方向の空間要件は高く、それによりクライオモジュール内のコールドマスの寸法が増大する。小型の装置の必要性は常にある。
【０００９】
したがって、前記の技術分野における従来技術は、低コストで製造することができ、低ヒステリシス、小型、汎用性といった長所を有する、より頑丈で信頼性のある調整メカニズムの必要性があるという実態を示している。
【００１０】
既存のＸリンク調整装置において用いられる一般的な要素または標準的な工学要素は、低速調整動作用のギアドモータおよびパワースクリューと、高速調整動作用のピエゾまたは高速調整アクチュエータである。本発明におけるこれらの構成要素の使用は、よりよい性能のために最適化される。本発明は、ヒステリシスが低いだけでなく費用効率のよい、ＳＣＲＦ空洞用の調整装置により構成される。同じ作動プラットフォーム上に高速調整システムが存在することにより、装置が小型化する。装置の様々な構成要素は、製造が容易であり、容易に組み立てることができる。駆動メカニズムのギアドモータは、空洞軸と交差しており、モータの不作動あるいは故障の際にモータを交換するためのアクセス性が良い。
【００１１】
［発明の目的］
本発明の第一の主要な目的は、従来技術の制限を解消することである。
本発明の目的の１つは、粒子加速器内で用いられる超伝導ＲＦ（ＳＣＲＦ）空洞用の調整メカニズムを開発することである。
【００１２】
本発明の別の目的は、所望する加速モードの空洞の電磁周波数を高周波（ＲＦ）ソース周波数と一致するように変化させるため、ＳＣＲＦ空洞の軸方向変形を弾性限界の範囲内で制御することである。
【００１３】
本発明の別の目的は、調整サイクル全体において、全般的なヒステリシスを低減させるためのメカニズムを有することである。
本発明の更に別の目的は、チューナ装置を小型化することである。
【００１４】
圧縮および伸長の両方において動作の柔軟性を拡大するためのメカニズムを有することにより、単点または無負荷点からの低速および高速調整の選択肢を有しつつ、動きの対称性を失うことなく、圧縮モードまたは伸長モードのどちらでも動作可能であることは、本発明の更なる目的である。
【００１５】
より少ない数の構成要素と運動伝達の効率を高める頑丈なフレームとを有することにより、ＳＣＲＦ空洞のチューナフレームを備えることは、本発明の１つの目的である。
本発明の更に別の目的は、調整装置を製造するための溶接接合および複雑な機械加工をなくすための、調整メカニズムの新規な構成を有することである。
【００１６】
本発明の別の目的は、ＳＣＲＦ空洞用のチューナの調整範囲を拡大することである。
本発明の別の目的は、故障した場合のモータ交換を容易にするメカニズムを有することである。
【００１７】
本発明の更なる目的は、ＳＣＲＦ空洞用のチューナのコストを低減させる調整メカニズムを開発することである。
本発明のこれらおよび他の目的は、添付の図面と併せて読まれる以下の詳細な説明から、容易に分かるであろう。
【００１８】
［発明の概要］
本発明の幾つかの局面について基本的な理解を提供するため、以下に本発明の簡単な要約を提示する。この要約は、本発明の広範囲にわたる概要ではない。本発明の主要または重要な要素を特定することも、本発明の範囲を詳述することも意図していない。唯一の目的は、後ほど提示される本発明の更に詳細な説明に先立って、本発明の概念を簡潔な形で提示することである。
【００１９】
Ｘリンク調整システムは、低ヒステリシスで正確な低速および高速調整のために、シングルセルまたはマルチセルのＳＣＲＦ空洞に適している。中立位置の周辺で屈曲するフレクシャプレートは、対称的な圧縮伸長サイクルまたは伸長圧縮サイクルを可能にする。ＳＣＲＦ空洞の調整メカニズムにおける非磁性、極低温対応、かつ高強度のＳＳ３１６ＬＮあるいは同様な材料の使用は、本発明においては、ＳＣＲＦ空洞またはヘリウム容器に熱歪み（極低温への冷却による）を引き起こさないチタン製容器（ヘリウム容器）と共に為される。
【００２０】
本発明のメカニズムが、低速および高速調整の選択肢を有しつつ、動きの対称性を失うことなく、圧縮モードと伸長モードのどちらでも動作可能であることは理解されよう。動作の圧縮モードおよび伸長モードは、使用者により任意に選択可能である。提案されている調整装置は、同軸調整システムとして、またはエンド部調整システムとして構成し得る。提案されている発明は、調整サイクル全体において、小型化、モジュラーアセンブリ、および低ヒステリシスを有する。
【００２１】
したがって、本発明の１つの局面においては、超伝導高周波（ＳＣＲＦ）空洞用の調整装置が提供され、上記の装置は、
少なくとも２つの角型フランジと、
少なくとも２組のＸリンクレバーと、
上部用の少なくとも４つの薄く平らなフレクシャプレートおよび下部用の少なくとも４つの薄く平らなフレクシャプレートと、
１つ以上のピエゾアクチュエータと、
少なくとも１つのモータアセンブリと、
少なくとも１つのパワースクリューアセンブリと、を備え、
少なくとも２組のＸリンクレバーは、実質的に中央部において枢動し、モータ、ピエゾアクチュエータおよびパワースクリューアセンブリは、角型フランジの上端部および下端部の運動を等しくし、
角型フランジは、少なくとも２組のＸリンクレバーを介して互いに連結され、薄く平らなフレクシャプレートの複数は、少なくとも１つの角型フランジと共にＸリンクレバーの上端部を他方の角型フランジの下端部に連結し、またその逆の連結も行うことにより、調整装置の上部からの直線運動を下部に伝達させ、上部から下部への負荷伝達を生じさせ、
これにより、ＳＣＲＦ空洞の周波数の微細かつ高速の制御に必要な力を伝達するための、低速および／または高速調整機構を提供する。
【００２２】
さらに、本発明は、調整範囲を拡大し、製造のための溶接接合や複雑な機械加工をなくし、故障時における駆動メカニズムのギアドモータの交換を容易にし、費用を低減する。
本発明のＸリンク調整システムは、低ヒステリシスで正確な低速および高速調整のために、シングルセルまたはマルチセルのＳＣＲＦ空洞に適している。中立位置の周辺で屈曲するフレクシャプレートにより、対称的な圧縮伸長サイクルまたは伸長圧縮サイクルが可能になる。ＳＣＲＦ空洞の調整メカニズムにおける非磁性、極低温対応、かつ高強度のＳＳ３１６ＬＮあるいは同様な材料の使用は、ＳＣＲＦ空洞またはヘリウム容器に熱歪み（極低温への冷却による）を引き起こさないチタン製容器（ヘリウム容器）を用いて、初めて為される。
【００２３】
本発明がより明確に理解され、実施されることを可能にするため、添付の図面が参照され、図面における同様な参照符号は、説明全体を通して同様な部分を示す。
【図面の簡単な説明】
【００２４】
【図１】Ｘリンク調整装置の組立図を示す。
【図２】図２（ａ）は、機構の３次元アセンブリを示す。図２（ｂ）は、パワースクリューアセンブリの分解図を示す。
【図３】ステッパモータまたはＤＣモータを介する運動伝達の概略図を示す。
【図４】ピエゾアクチュエータすなわち高速調整アクチュエータを介する運動伝達の概略図を示す。
【図５】角型のフレームアセンブリを示す。
【図６】Ｘリンクメカニズムを示す。
【図７】図７（ａ）は、駆動メカニズムアセンブリおよび部分詳細を示す。図７（ｂ）は、パワースクリュー支持部およびピエゾ把持プレートを示す。図７（ｃ）は、パワースクリューメカニズムを示す。
【図８（ａ）】圧縮伸長サイクルのための調整ピエゾまたは調整アクチュエータアセンブリおよび部分詳細を示す。
【図８（ｂ）】伸長圧縮サイクルのための調整ピエゾまたは調整アクチュエータアセンブリおよび部分詳細を示す。
【図９】同軸チューナとして用いられるＸリンク調整装置を示す。
【図１０】エンドチューナとして用いられるＸリンク調整装置を示す。
【００２５】
図中の要素が簡略化と明確化のために図示されており、正確な縮尺率ではないかもしれないことは、当業者であれば理解されよう。例えば、本開示の種々の例示的な実施形態の理解を高める助けとなるよう、図中の要素の一部は、その寸法が他の要素に対して誇張されているかもしれない。
【００２６】
なお、図面全体を通して、同一または類似の要素、特徴、および構造を示すために、同様な参照符号が用いられている。
【発明を実施するための形態】
【００２７】
［発明の詳細な説明］
添付の図面を参照する以下の説明は、請求項およびその同等物によって定義される本発明の、例示的な実施形態の包括的な理解を助けるために、提供されている。そうした理解を助けるため、説明は種々の具体的な詳細を含むが、これらは単に例示的なものと見なされるべきである。したがって、本発明の範囲および精神から逸脱することなく本明細書に記載された実施形態に様々な変更および修正を加え得ることは、当業者であれば理解するであろう。さらに、周知の機能および構造の説明は、明確性および簡潔性のために省略される。
【００２８】
以下の説明および請求項において用いられる用語および文言は、文献的な意味に限定されることはなく、本発明の明確で一貫した理解を可能にするために、発明者によって用いられるに過ぎない。したがって、本発明の例示的な実施形態の以下の記載が、説明目的のみのために提供されているのであり、添付の請求項およびその同等物により定義される本発明を限定する目的のために提供されているのではないことは、当業者には明らかなはずである。
【００２９】
単数形の「ａ」、「ａｎ」、および「ｔｈｅ」は、文脈により明らかに別段の規定がされていない限り、複数の指示対象を含むものと解されるべきである。
「実質的に」という用語によって、表現された特徴、変数、または値が正確に実現される必要はなく、その特徴が提供するであろう効果を阻害しない程度に、例えば公差、測定誤差、測定精度の限界、および当業者には周知のその他の要因を含む、ずれや変動が生じ得ることが想定されている。
【００３０】
１つの実施形態に関して説明および／または図示されている特徴は、１つ以上の他の実施形態において同じ方法または類似の方法で用いてもよく、かつ／または他の実施形態の特徴と組み合わせても、その代わりに用いてもよい。
【００３１】
本明細書中で用いられる場合、「備える／備えている」という用語は、述べられた特徴、整数、ステップ、あるいは構成要素の存在を特定するために使用されており、１つ以上の他の特徴、整数、ステップ、構成要素、あるいはそれらのグループの存在または追加を排除するものでないことは、強調しておく必要がある。
【００３２】
図１は、Ｘリンク調整装置（１００）のアセンブリを示す。本発明の上記の調整装置は１対の角型のフレームまたはフランジ（１）を備え、１対のフレームまたはフランジ（１）は、ＳＣＲＦ空洞のヘリウム容器の蛇腹部の両側において、上記の調整装置（１００）をヘリウム容器（１０２）に取り付けるために用いられる。さらに、角型フランジ（１）のそれぞれは、２つの部分で作られており、これらの部分が、ドエルピンと、ばね係止部（ｓｐｒｉｎｇ  ｌｏｃｋ）を有するボルトまたは適切な固定具と、を用いて組み立てられ、角型フランジ（１）のアセンブリは、平行するＸリンクレバーと、ほぼ中央部で枢動する軸受け（２）との１対の組を介して、互いに連結される。Ｘリンク（２）の上端部は、薄いフレクシャ（ｆｌｅｘｕｒｅ）プレート（３）を用いて、一方の角型フランジを他方の角型フランジの下端部に連結し、その逆の連結も行う。フレクシャプレート（３）は中立位置の周辺で屈曲することにより、対称的な圧縮伸長あるいは伸長圧縮サイクルを可能にする。
【００３３】
フレクシャプレート（３）は、ばね係止部を有するボルトによりＸリンク（２）および角型フランジ（１）に接合され、ドエルピン（４）により固定されている。角型フランジ（１）は、上部に、直線運動を調整装置（１００）の残りの部分に伝えるプラットフォームを有し、図７に示すように、これらはボールスクリューメカニズムによって一緒に連結されている。ボール式のパワースクリューメカニズムは、直線作動メカニズム（７）の主要な構成要素である。ボールスクリュー（パワースクリューとも称される）は、そのウォームギヤ（１１）に対する適切な減速比を有するウォームホイール（９）を用いて回転させられる。例示的な実施形態においては、１：３０のギア比が用いられている。
【００３４】
さらに、ウォームギヤ（１１）の一端は、角型フレームの１つの上部に支持され、ウォームギヤ（１１）のシャフトは延在して、図７に示すように、軸継手（１９）を介して連結される、大きいギア減速比を有する極低温対応小型ギアユニットに、連結されている。極低温対応ステッパモータ（５）は、各モータの回転において、１００ステップから１０００ステップ、または更なるマイクロステップの範囲で、上記の小型ギアユニットを駆動する。ステッパモータのシャフトは、ギアユニットの反対側に延出し、更に、加速器の動作中にモータ故障が起きた場合に備えて、クライオモジュールアセンブリの外側からモータの連結に対応するために、適切な軸継手が形成されている。ステッパモータ（５）は、調整作業に用いられ、図１に示すように、角型フランジ（１）の上のプラットフォーム上で、モータ支持部（６）によって支持されている。１対のピエゾアクチュエータ（８）が、高速調整作業に用いられる。
【００３５】
図２は、調整メカニズムアセンブリの三次元組立図（図２（ａ）として表示）およびパワースクリューアセンブリの分解図（図２（ｂ）として表示）を示す。パワースクリューアセンブリは、パワースクリュー（１２）およびピエゾ把持プレート（１３）（図７における詳細図）と、ボールスクリューメカニズム（図７（ｃ）における詳細側面断面図）と、ピエゾ支持フランジ（８２）およびピエゾ支持ガイド（８１）（図８における詳細図）と、１対のピエゾアクチュエータ（８）（図８の詳細図）と、図７（ｃ）に示すようにボールスクリューメカニズムに連結されたウォームホイール（９）とを備える。ウォーム（１１）は、ウォームホイール（９）を回転させるためにウォームホイール（９）に連結され、ウォーム（１１）は軸（１９）継手を用いて小型ギアユニットに連結され、極低温環境において動作可能なステッパモータ（５）が小型ギアユニットを回転させるために用いられ、モータ支持部（６）はステッパモータ（５）を支持することを特徴とし、フレクシャプレート（３）は対称的な圧縮伸長サイクルを可能にする。パワースクリュー（１２）アセンブリは、直線作動のために用いられ、角型フランジ（１）同士を連結する。角型フランジ（１）は、調整装置（１００）の圧縮または伸長による屈曲が無視できる程度に、十分に厚い。
【００３６】
図３は、ステッパモータ（５）を介した調整メカニズムの残りの部分への運動伝達の説明を、概略図により示す。図３に示すように、ステッパモータ（５）は、小型ギアユニットを時計回りおよび反時計回りの両方向に回転（Ｒ１）させるように構成されている。ギアユニットは、軸継手（１９）を経て上記のウォーム（１１）に連結されている。したがって、小型ギアユニットの回転（Ｒ１）はウォーム（１１）をも回転させ、ひいてはウォームホイール（９）を駆動する。ウォームホイール（９）は、パワースクリュー（１２）と連結されることにより、パワースクリュー（１２）を回転（Ｒ２）させる。これにより、予負荷されたピエゾを介した直線運動伝達（Ｒ３）を生じる。したがって、フレクシャプレート（３）およびＸリンク（２）の配置は、調整メカニズムの上部から下部への直線運動の伝達を生じさせ、Ｒ４として示される上部から下部への負荷の伝達を生じさせる。上記の配置は、ステッパモータ（５）が時計回り方向または反時計回り方向のどちらに回転しているかに応じて、調整装置を伸長または圧縮させることができる。
【００３７】
図４は、ピエゾアクチュエータ（８）を介した調整メカニズムの残りの部分への運動伝達の説明を、概略図により示している。このメカニズムは、基本的に４つのステップに分けることができる。まず、ピエゾの作動（Ｆ１）により、パワースクリュー（１２）とピエゾ把持プレート（１３）とに力が加えられる。これにより、パワースクリュー（１２）および上記の直線アクチュエータメカニズムを介して、直線駆動運動（Ｆ２）が生じる。直線運動（Ｆ２）の伝達は、角型フレームまたはフランジ（１）における運動（Ｆ３）を生じさせる。最後に、フレクシャプレート（３）およびＸリンク（２）の運動（Ｆ４）が、上部から下部への負荷の伝達を生じさせる。
【００３８】
図５は、角型フレーム（１）の組立図を示す。角型フレーム（１）は、２つの部分を備え、各部分は角形の角が共通点を有し、２つの部分は容易に嵌め合わせることができる。差込みの整合性を確保するため、つまり、空洞列の既に組み立てられた空洞においてチューナを組み立てることを容易にするために、角型フレームが２つの部分で構成されている。組み立てられた角型フレームは、中間に円形の空洞を有し、角型フランジ（１）の上部に、パワースクリュー（１２）を連結するためのプラットフォームを有する。
【００３９】
図６は、Ｘリンクレバーおよび軸受け（２）メカニズムの組立図と、その分解図を示す。上記のＸリンクメカニズムは、軸受け（Ｂ１）により中央部で連結されている、交差位置に配置された２つのレバー（Ｌ１、Ｌ２）により構成される。上記の角型フランジ（１）は、中間において枢動する２組の平行するＸリンクレバー（Ｌ１、Ｌ２）を介して互いに連結されており、薄いフレクシャプレート（３）を用いて、Ｘリンクの上端が一方の角型フランジを他方の角型フランジの下端に連結し、その逆の連結も行われ、フレクシャプレート（３）は、ばね係止部を有するボルトにより、Ｘリンクおよび角型フランジに接合されている。
【００４０】
図７は、駆動メカニズムアセンブリおよび部分詳細を示す。駆動メカニズムのアセンブリは、図７（ａ）に示すように、ステッパモータ（５）と、小型ギアボックス（１０）と、ウォームホイール（９）に連結されたウォーム（１１）と、ボールスクリューメカニズムおよびパワースクリュー（１２）と、ピエゾ把持プレート（１３）とを備える。上記把持プレート（１３）の例示的な実施形態の詳細な上面図および正面図は、図７（ａ）にある。把持プレート（１３）は、図７（ｂ）に示すように、パワースクリューおよび上記のピエゾ支持フランジ（８１）の取付けに対応している。ボルトを用いて、パワースクリューと共に把持プレートを支持するためのアタッチメント（１５）が、図７（ｂ）に示されている。ボルトを備えるピエゾ支持メカニズム（１４ａ，１４ｂ）も、図７（ｂ）においてより詳細に示されている。ボールスクリューメカニズムの例示的な実施形態も、図７（ｃ）に示されている。上記のボールスクリューメカニズムは、鋼球（１８）を用いて、パワースクリューシャフト（１６）の運動により生じる摩擦を最小化するように構成されている。鋼球（１８）は、図７（ｃ）に示すように、ナット（１７）とパワーシャフト（１６）との間で、摩擦を最小化するようにされている。この配置により剛性構造のメカニズムによるヒステリシスが低減し、ボール式のパワースクリュー（スティックスリップ運動が少ない）を用いることにより、システムは低摩擦となり、フレクシャプレート接合（スティックスリップ運動がない）により形成されたすべての接合部において摩擦がなくなる。
【００４１】
図８は、調整サイクルの構成に従う、調整用ピエゾアクチュエータ（８）アセンブリおよび部分詳細を示す。図８（ａ）は、圧縮伸長調整サイクル装置に関し、図８（ｂ）は、伸長圧縮調整サイクル装置に関する。上記のアクチュエータアセンブリは、ピエゾスタックまたは高速調整素子（８４）、２つのピエゾ支持フランジ（８２、８５）、ピエゾ支持ガイド（８１、８９）、封入管（８３）、鋼球（８６）、グラブねじ（８７）、およびアセンブリ用の固定具（８８）から構成される。ピエゾ支持フランジおよびピエゾ支持ガイドの詳細な正面図および上面図もまた、図８において提供されている。
【００４２】
図９は、Ｘリンク調整装置（１００）が同軸チューナとして用いられる、本発明の実施形態のうちの１つを示す。図９は、同軸チューナとしてヘリウム容器（１０２）に取り付けられたＸリンク調整装置（１００）の様々な図を示す。ヘリウム容器（１０２）に取り付けられたＸリンクチューナ装置の側面図、上面図および等角図が示されている。ここには、ＳＣＲＦ空洞（１０１）を備える円形ヘリウム容器（１０２）に同軸チューナとして取り付けられたチューナ装置（１００）の、例示的な実施形態が描かれている。
【００４３】
図１０は、Ｘリンク調整装置（１００）がエンドチューナとして用いられる、本発明の更に別の実施形態を示す。図１０は、エンドチューナとしてヘリウム容器（１０２）に取り付けられたＸリンク調整装置（１００）の様々な図を示す。ヘリウム容器（１０２）に取り付けられたＸリンクチューナ装置の側面図、上面図および等角図が示されている。ここには、ＳＣＲＦ空洞（１０１）を備える円形ヘリウム容器（１０２）にエンドチューナとして取り付けられたチューナ装置（１００）の、例示的な実施形態が描かれている。
【００４４】
本発明の好適な実施形態の説明は、例えばピルボックス形状、楕円形状、凹多角形状、低損失形状、球形状、または好適な形状のＲＦ加速構造などの、ＲＦ空洞のシングルセルまたはマルチセルの軸対称形状の全範囲に適用できる。当業者であれば、本願のチューナ装置を、ＲＦ空洞の他の形状に対しても適切に応用できるように、改良することができるであろう。ＲＦ空洞の形状の変化に応じた構造の適合性は、容易に理解することができ、適宜にレバー（Ｌ１、Ｌ２）の枢動位置を調整しさえすればよいため、角型フレーム（１）、駆動メカニズム、ピエゾメカニズム、およびフレクシャシステムの構造は、特定のＲＦ空洞周波数についての全ての形状に対して同一である。
【００４５】
さらに、本発明のチューナ装置（１００）のメカニズムは、加速器空洞の約３００ＭＨｚから１５００ＭＨｚまでのＲＦ周波数の範囲に対してスケーラブルである。極低温対応ステンレス鋼、ＳＳ３１６ＬＮまたは同種の材料を上記のメカニズムで用いることは、費用効率が高いだけでなく、市販の付属品や部品（例えば、ボールスクリュー装置、連結部、ウォームホイールのウォーム、固定具等）を使用する自由度を高める。
【００４６】
ピエゾアクチュエータ（８）の機構は、調整のために周波数を高速で微調整するのに必要な力を伝達するために用いられる。上記のメカニズムはボールスクリューアセンブリを使用し、例示的な実施において、摩擦抵抗の低い駆動メカニズムからのごくわずかなバックラッシュに対し、パワースクリューの４分の１未満の回転として定義される部分的な回転のために、ピッチが４ｍｍ以上であってもよい。当業者は、同じアイデアを、ピッチや回転のようなアセンブリの異なる仕様で実施してもよく、それらは当業者にとって非常に自明であり、十分に本発明の範囲内であると解すべきである。上記のメカニズムは、低速調整に用いられる場合、フレクシャプレート（３）における許容張力により、調整性能を空洞レベルにおいて１．５ｍｍ超向上させる。
【００４７】
本発明において、ステッパモータおよびピエゾアクチュエータのメカニズムによる直線運動の伝達は、伸長および圧縮の両方において操作される柔軟性を提供するようにされている。このメカニズムは、ＲＦ空洞調整の要求に応じて、調整のための圧縮伸長サイクルにおいて用いることができ、または伸長圧縮サイクルにおいて用いることができ、つまり極低温（２Ｋまたは４．２Ｋ）への冷却後のＳＣＲＦ空洞が目標周波数より低い周波数を有する場合、メカニズムは、伸長圧縮として用いることができ、その逆も同様である。
【００４８】
上記のメカニズムは、クライオモジュールにおける超伝導ＲＦ空洞（１０１）スペースの適合性により、同軸調整システムまたはエンド部調整システムとして有利に設計され得る。あるＲＦ空洞の直径用の同軸調整システムの１つの構成は、図１０に示すエンド部調整システムとして、その２倍の直径のＲＦ空洞（すなわち上述のＲＦ空洞の半分の周波数）を有する別のＲＦ空洞に適用可能である。
【００４９】
好適な実施形態におけるメカニズムの構成要素は、シンプルであり、製造が容易である。本メカニズムにおいては、溶接が関わらないため歪みが生じず、接合部がボルト止めで固定されるため、システムの組立が容易になっている。フレクシャプレート、角型フランジおよびＸリンクレバーの接合は、ドエルピンによって行われ、適切な固定具で固定される。本発明の駆動システムは、直線的であり、小型で容易に取外し可能である。本発明の駆動メカニズムは、空洞軸に平行になるようにも、空洞軸に垂直になるようにも変更可能である。
【００５０】
この調整システムの価値は、費用、および、チューナのフレームからＲＦ空洞のヘリウム容器への直接的な負荷伝達のような、ＳＣ空洞チューナにおける最大の課題に対して、革新的な方法を見出したことにある。構成要素の数がより少なく、フレームが剛性であることにより、運動伝達の効率が高まる。非磁性のＳＳ３１６ＬＮ製のＸリンクチューナは、システムに強度を与えるのみならず、その製造をシンプルにし経済的にする。
【００５１】
本発明の一実施形態において、本発明のＸリンクチューナ装置は、単点または無負荷点からの低速および高速調整の選択肢を有しつつ、動きの対称性を失うことなく圧縮モードで動作可能である。
【００５２】
本発明の別の実施形態において、本発明のＸリンクチューナ装置は、単点または無負荷点からの低速および高速調整の選択肢を有しつつ、動きの対称性を失うことなく伸長モードでも動作可能である。
【００５３】
本チューナ装置は、このメカニズムの別の顕著な特徴である低ヒステリシスの広い調整範囲を提供し、例えば、１３００ＭＨｚ、９セルの空洞および／または６５０ＭＨｚ、５セルの空洞に対して低ヒステリシスの＋／−１．５ｍｍの調整範囲が実現される。
【００５４】
調整装置の構成要素は、ＷＳ２（二硫化タングステン）または適切な乾式潤滑剤を用いて乾式潤滑を行ってもよく、これにより摩擦が減少するだけでなく、構成要素の磨耗、焼き付き、およびかじりが減少する。
【００５５】
本発明の更に別の実施形態において、Ｘリンクチューナが低速および高速調整の両方を実行し得るＳＣＲＦ空洞用の調整装置の構成は、同時に低ヒステリシスの選択肢を与える。ＳＳ３１６ＬＮまたは非磁性鋼の使用によって、チューナは、剛性が高くなり、経済的で製造が容易になる。ＳＣＲＦ空洞におけるチューナは、コスト高騰の要因の１つであり、世界各国のＳＣＲＦ加速器のプロジェクトは、高エネルギー物理のプログラムのほぼ全てにとって最新の技術であるため、チューナのコスト低減はそうしたプロジェクトに大きな影響を与えるであろう。
【００５６】
本発明はまた、ＳＣＲＦ空洞を用いる超伝導陽子ライナックの開発の全体的なコストを低減させるのに役立つであろう。
本発明のＸリンクチューナの主な利点は、以下の通りである。
【００５７】
ｉ．  システムの低コスト：Ｘリンクチューナは、ＳＳ３１６ＬＮの使用、溶接しないこと、および構成要素の数が非常に少なく製造が容易であることにより、ＳＣＲＦ空洞調整システムにとって経済的な選択肢である。
【００５８】
ｉｉ．  より軽量で小型：チューナの構成により、ブレードチューナと比べて約４０％の大幅な重量低減が可能になった。寸法における高度な小型化は、冷却時の収縮を確実に少なくする。これは、従来のチューナの構成ではこれまで不可能であったＳＳ３１６ＬＮ製構成要素の使用を容易にするため、本装置の特別な技術的特徴である。
【００５９】
ｉｉｉ．  製造および組立の容易さ：本装置の構成要素は、シンプルなフレーム型の構成により、製造が容易である。本メカニズムは、構成要素の数がより少ないため、組立時間がより短い。
【００６０】
ｉｖ．  より広い調整範囲：本チューナで採用されているメカニズムは、空洞レベルで低速調整範囲を１．５ｍｍ超向上させる。
ｖ．  圧縮、伸長の両方における適切性：本メカニズムは、圧縮モードにおいても伸長モードにおいても対称性を失うことなく動作可能であるため、ＲＦ空洞の製造誤差の許容度を高めることができる。
【００６１】
ｖｉ．  高速調整アセンブリは、組立中および動作中にピエゾアクチュエータまたは高速調整アクチュエータを破損から守るように用意されている。
ｖｉｉ．  低速チューナおよび高速チューナに対して、力伝達点は同じになる。
【００６２】
ｖｉｉｉ．  磁気シールドを備えたアセンブリはモジュール式であるため、容易に取外し可能である。
ｉｘ．  本チューナは、無溶接で製造され、組立が容易である。
【００６３】
ｘ．  本メカニズムのギアドモータは、モータが空洞軸に対して垂直に取り付けられているため、クライオモジュールの外側からアクセス可能にすることができる。
ｘｉ．  ボール式パワースクリューメカニズムを介する力伝達は、以下の利点を有する。
【００６４】
ａ．  バックラッシュの最小化、低摩擦、より少ないスティックスリップにより、本装置は、全体的に低ヒステリシスであり、反応がより速い。
ｂ．  ボール式パワースクリューの低い摩擦により、摩擦による発熱は少なく、モータの所要電力は少ない。この両方により、極低温への熱負荷が少なくなる。
【００６５】
本発明は、様々な他の実施形態において採用されるための資格を有し、本発明の利点や恩恵を得るそのような修正や変更は、当業者にとっては明らかであろう。そのような修正や変更の全ては、当業者には自明であろう。
【００６６】
本明細書中の説明は多くの具体的な内容を含んでいるが、これらは本発明の範囲を限定するものと解されるべきではなく、本発明の実施形態の幾つかの実例を提供しているに過ぎないものと解されるべきである。本発明の実施において、必要以上の実験に頼ることなく、具体的に例示されたもの以外の要素および材料を採用し得ることは、当業者であれば理解するであろう。このような要素および材料の、当該技術分野で公知である機能的な均等物の全ては、本発明に含まれるよう意図されている。本明細書中の発明から逸脱することなく、種々の変化、変更、および代替を行うことができる。
【図１】
0006259913.tif 000002
【図２】
0006259913.tif 000003
【図３】
0006259913.tif 000004
【図４】
0006259913.tif 000005
【図５】
0006259913.tif 000006
【図６】
0006259913.tif 000007
【図７（ａ）】
0006259913.tif 000008
【図７（ｂ）】
0006259913.tif 000009
【図７（ｃ）】
0006259913.tif 000010
【図８（ａ）】
0006259913.tif 000011
【図８（ｂ）】
0006259913.tif 000012
【図９】
0006259913.tif 000013
【図１０】
0006259913.tif 000014